(57)【要約】【課題】  通気性があり夏でも快適に装着でき、寝返り等、頭部や身体が動いても頭部にしっかりと固定され、さらに伸びがよく顔に適切に装着可能な顎固定用ベルトを提供する。【解決手段】  本発明の顎固定用ベルト１０，２０は、頭頂部と顎との間に掛け渡して装着される顎固定用ベルトにおいて、第１の顎締め付けベルト３の端部と第２の顎締め付けベルト４の端部が重ね合わされて二重に形成された顔両端装着部２と、前記第１の顎締め付けベルト３の中心部の一縁部と前記第２の顎締め付けベルト４の中心部の他縁部が接合された顎先固定部１とからなることを特徴とする。【選択図】  図１
2017094040.tif 000002
【特許請求の範囲】
【請求項１】
頭頂部と顎との間に掛け渡して装着される顎固定用ベルトにおいて、第１の顎締め付けベルトの端部と第２の顎締め付けベルトの端部が重ね合わされて二重に形成された顔両端装着部と、前記第１の顎締め付けベルトの中心部の一縁部と前記第２の顎締め付けベルトの中心部の他縁部が接合された顎先固定部とからなることを特徴とする顎固定用ベルト。
【請求項２】
前記第１の顎締め付けベルトの中心部の前記一縁部には第１の布片が設けられ、前記第２の顎締め付けベルトの中心部の他縁部には第２の布片が設けられ、前記顎先固定部は、前記第１の布片と前記第２の布片が接合されて形成されたことを特徴とする請求項１記載の顎固定用ベルト。
【請求項３】
顎先の正面側が前記第１の顎締め付けベルトの中心部と接触し、前記顎先の裏面側が前記第２の顎締め付けベルトの中心部と接触して、前記第１の顎締め付けベルトと前記第２の顎締め付けベルトによって挟み込むように顎先が固定されることを特徴とする請求項１または２記載の顎固定用ベルト。
【請求項４】
前記第１の顎締め付けベルトの中心部の他縁部には第３の布片が設けられ、前記第２の顎締め付けベルトの中心部の一縁部には第４の布片が設けられていることを特徴とする請求項２または３記載の顎固定用ベルト。
【請求項５】
前記第１の布片と前記第２の布片のストレッチ率は、前記第１の顎締め付けベルトと前記第２の顎締め付けベルトのストレッチ率よりも小さい素材で形成されていることを特徴とする請求項２から４のいずれか一項記載の顎固定用ベルト。
【請求項６】
前記第３の布片と前記第４の布片のストレッチ率は、前記第１の顎締め付けベルトと前記第２の顎締め付けベルトのストレッチ率よりも小さい素材で形成されていることを特徴とする請求項４または５記載の顎固定用ベルト。
【請求項７】
前記第１の顎締め付けベルトと前記第２の顎締め付けベルトは多数の孔が形成されたメッシュ生地からなる帯状部材で構成され、前記メッシュ生地はストレッチ率が１２０〜３００％であることを特徴とする請求項１から６のいずれか一項記載の顎固定用ベルト。
【請求項８】
前記顎固定用ベルトには、さらに前記第１の顎締め付けベルトの中心部と前記第２の顎締め付けベルトの中心部が接合された箇所に取り付けられた一対のズレ防止用ベルトが設けられたことを特徴とする請求項１から７のいずれか一項記載の顎固定用ベルト。
【請求項９】
前記顎固定用ベルトには、さらに前記顔両端装着部と前記ズレ防止用ベルトとの間に設けられた一対の連結ベルトが設けられたことを特徴とする請求項８記載の顎固定用ベルト。
【請求項１０】
前記第１の顎締め付けベルトと前記第２の顎締め付けベルトはゴム系あるいはポリウレタン弾性糸を芯とするカバーリング糸で生成された伸縮性細幅編み物であるメッシュ生地で形成されていることを特徴とする請求項１から９のいずれか一項記載の顎固定用ベルト。
【請求項１１】
前記顎固定用ベルトは、睡眠時無呼吸症候群の治療用に使用するマスクと併用可能な孔が設けられていることを特徴とする請求項１から１０のいずれか一項記載の顎固定用ベルト。
【発明の詳細な説明】
【技術分野】
【０００１】
本発明は、睡眠時に口を開けて呼吸することに起因するいびきや睡眠時無呼吸症候群を防止するため、また内視鏡による胃カメラ検査や長時間にわたる胃や食道の内視鏡手術に使用する医療目的の顎固定用ベルトに関するものであり、また顎を固定することにより顎周りの筋肉を強化し小顔効果を得ることが可能な顎固定用ベルトに関する。
【背景技術】
【０００２】
従来、顎部と頭頂部の間を掛け渡して用いる顎固定用ベルトは、いびき防止用や睡眠時無呼吸症候群等を防止するために、また内視鏡による胃カメラ検査や長時間にわたる胃や食道の内視鏡手術に使用する顎固定用の医療ベルトとして、さらにスポーツや格闘技を行う際のサポーターや小顔効果を得るための美容用ベルトとして種々の分野で使用されている。
しかし、従来の顎固定用ベルト（図１２）は長時間着用すると通気性が悪いために蒸れ易く、また伸びが悪いために寝返り等、顔を動かすとずれて外れることもあった。さらに顎固定用ベルト自体の耐久性の問題により、使用しているうちに顎固定用ベルトが伸びてしまい使用できなくなってしまうという問題点があった。
【０００３】
特許文献１は、睡眠中におけるいびきを防止する顎バンドに関するもので、顎と頭頂部との間に掛け渡す環状のバンドで形成され、編物で作られており、顎に掛ける部分と頭頂部に掛ける部分は幅広く掌程度の大きさで（その段落００２４）、顎に掛ける部分が網目の集合によって形成される編物（メリヤス）によって作られているため、顎に掛かっている部分が顎の形状に沿って伸縮し、顎によく馴染むので、睡眠中に外れにくい（その段落００１６，００１８）、と記載されている。
【０００４】
また特許文献２は、いびきや無呼吸を防止するための頭部装着具に関するもので、使用者の後頭部に所定の長さで縦に配置した棒状弾性体と、該棒状弾性体が取り付けられた保持シートと、該保持シートの周辺を取巻くように取り付けられた帯状体と、該帯状体の顔面の両側の位置に所定の間隔で両端を取り付けられた一対の牽引体と、該一対の牽引体間に差し渡すように取り付けた伸縮可能なあご保持部材とを備えた頭部装着具であり（その段落００１９）、前記保持シートが網状シートで形成されているため、使用者の頭部に密着する剛性（寸法安定性）を備え、かつ通気性を備えているので就寝中に発汗等で不快な感じを抱くことがない（その段落００２４）、と記載されている。
【０００５】
そして特許文献３は、睡眠時に装着していびきの発生を抑制するいびき抑制具に関するもので、下顎保持帯部と上顎保持帯部とからなり、下顎保持帯部は、環状に形成され、頭頂部と下顎との間を掛け渡して装着される（その段落００１５）。下顎保持帯部と上顎保持帯部を、例えば、ポリエステルとポリウレタン等とからなる素材で、伸縮性と共に、人に優しい柔らかな肌触り感を有する素材で形成することにより、フィット感のある肌触りが得られ、人が睡眠時に本考案のいびき抑制具を長時間装着しても、不快にならない（その段落００１０）、と記載されている。
【先行技術文献】
【特許文献】
【０００６】
【特許文献１】特開２００１−２９９７９１号公報
【特許文献２】特開２０１３−２３３１８８号公報
【特許文献３】実用新案登録第３１９１１８０号公報
【発明の概要】
【発明が解決しようとする課題】
【０００７】
しかしながら、寝返り等の顔の動きに対して顎固定用バンドが頭に対してずれないようにするためには、下顎の正面と裏面から顎先を挟むようにして固定することが有効であるのに対し、特許文献１に開示された全体を編物で形成した顎バンドの構造では、顎先を充分に挟むことができないうえ、顎バンドの伸縮性が大きいため、顎バンドが顔や頭に接触する部分は長時間着用しても痛みを感じないというメリットがあるが、逆に顎先を固定する効果が薄れて、ずれたり外れたりしてしまう。そして特許文献３に開示されたいびき抑制具は下顎保持帯部と上顎保持帯部によって顎を固定することが可能で、またメッシュ構造となっているため汗で蒸れることが抑制できるが、特許文献１と同様に全体が同じ素材で形成されているため、頭部に対していびき抑制具を充分に固定するために面ファスナーによってきつく締めると顔や頭に接触する部分に痛みを感じ、逆に緩く締めると頭部から外れやすくなってしまう。
また特許文献２に開示された頭部装着具においては、顎保持部材を一対の牽引体に適宜所定の長さで固定することで下顎を固定することが可能であるが、多数の部材を利用しているため構造が複雑で製造コストが大きくなってしまう。
【０００８】
そこで本発明の目的は、通気性があるために夏でも快適に装着でき、寝返り等、頭部や身体が動いても頭部にしっかりと固定され、さらに伸びがよく顔に適切に装着可能な顎固定用ベルトを提供することを目的とする。
また本発明の目的は、簡単な構造で製造が容易であり、使用回数が多い場合でも長持ちする耐久性の高い顎固定用ベルトを提供することを目的とする。
【課題を解決するための手段】
【０００９】
本発明は、頭頂部と顎との間に掛け渡して装着される顎固定用ベルトにおいて、第１の顎締め付けベルトの端部と第２の顎締め付けベルトの端部が重ね合わされて二重に形成された顔両端装着部と、前記第１の顎締め付けベルトの中心部の一縁部と前記第２の顎締め付けベルトの中心部の他縁部が接合された顎先固定部とからなることを特徴とする。
また本発明の顎固定用ベルトは、顎先の正面側が前記第１の顎締め付けベルトの中心部と接触し、前記顎先の裏面側が前記第２の顎締め付けベルトの中心部と接触して、前記第１の顎締め付けベルトと前記第２の顎締め付けベルトによって挟み込むように顎先が固定されることを特徴とする。
本発明によれば、顔の両端に装着される顔両端装着部が第１の顎締め付けベルトと第２の締め付けベルトにより二重に形成されているため、顎固定用ベルトが頭部に適切に固定され、さらに顎先の正面側が顎先固定部の第１の顎締め付けベルトと接触し、顎先の裏面側が顎先固定部の第２の顎締め付けベルトと接触して、第１の顎締め付けベルトと第２の顎締め付けベルトによって挟み込むように顎先を固定するため、寝返り等、頭部や身体が動いてもずれたり外れたりすることなく頭部にしっかりと固定することが可能となる。
また本発明によれば、顎固定用ベルトは主に第１の顎締め付けベルトと第２の顎締め付けベルトによって形成されているため、簡単な構造で製造が容易である。
【００１０】
本発明の顎固定用ベルトは、前記第１の顎締め付けベルトの中心部の一縁部には第１の布片が設けられ、前記第２の顎締め付けベルトの中心部の他縁部には第２の布片が設けられ、前記顎先固定部は、前記第１の布片と前記第２の布片が接合されて形成されたことを特徴とする。
また本発明の顎固定用ベルトは、前記第１の布片と前記第２の布片のストレッチ率は、前記第１の顎締め付けベルトと前記第２の顎締め付けベルトのストレッチ率よりも小さい素材で形成されていることを特徴とする。
ここで「ストレッチ率」とは、ＪＩＳ  Ｌ１０９６に記載されている０．５ｋｇ荷重時の定荷重時伸び率を意味する。ここでは、加重をかけないときを１００％とし、以下の（数１）で表すことができる。
【００１１】
【数１】
2017094040.tif 000003
ここでＳはストレッチ率［％］であり、Ｂは０．５ｋｇ加重時の生地の長さであり、Ａは加重をかけない場合の生地の長さを示す。
【００１２】
本発明によれば、前記第１の顎締め付けベルトの中心部の一縁部に設けられた前記第１の布片と前記第２の顎締め付けベルトの中心部の他縁部に設けられた前記第２の布片のストレッチ率が前記第１の顎締め付けベルトと前記第２の顎締め付けベルトよりも小さいため、顎先固定部は前記第１の布片と前記第２の布片により顔両端固定部よりも伸縮せずに顎先をしっかりと固定するとともに、前記顔両端固定部は伸縮し頭部や身体が動いてもずれたり外れたりすることがなく頭部に固定される。
【００１３】
本発明の顎固定用ベルトは、前記第１の顎締め付けベルトの中心部の他縁部に第３の布片が設けられ、前記第２の顎締め付けベルトの中心部の一縁部には第４の布片が設けられていることを特徴とする。
また本発明の顎固定用ベルトは、前記第３の布片と前記第４の布片のストレッチ率は、前記第１の顎締め付けベルトと前記第２の顎締め付けベルトのストレッチ率よりも小さい素材で形成されていることを特徴とする。
本発明によれば、前記第１の顎締め付けベルトの中心部の他縁部に設けられた第３の布片と前記第２の顎締め付けベルトの中心部の一縁部に設けられた第４の布片のストレッチ率が前記第１の顎締め付けベルトと前記第２の顎締め付けベルトよりも小さいため、顎先固定部は前記第１の布片、前記第２の布片、前記第３の布片および前記第４の布片によって伸縮せずに顎先をさらにしっかりと固定するとともに、前記顔両端固定部は伸縮し頭部や身体が動いてもずれたり外れたりすることがなく頭部に固定される。
【００１４】
本発明の顎固定用ベルトは、前記第１の顎締め付けベルトと前記第２の顎締め付けベルトは多数の孔が形成されたメッシュ生地からなる帯状部材で構成され、前記メッシュ生地はストレッチ率が１２０〜３００％であることを特徴とする。
本発明によれば、顎固定用ベルトが多数の孔が形成されたメッシュ生地からなる帯状部材で構成されているため、通気性がよく使用感が良好で、さらにストレッチ率が１２０〜３００％に構成されているため、伸縮性がよく頭部や身体が動いてもずれたり外れたりすることがなく頭部にぴったりと固定される。
【００１５】
本発明の顎固定用ベルトには、さらに前記第１の顎締め付けベルトの中心部と前記第２の顎締め付けベルトの中心部が接合された箇所に取り付けられた一対のズレ防止用ベルトが設けられたことを特徴とする。
また本発明の前記顎固定用ベルトには、さらに前記第１の顎締め付けベルトと前記ズレ防止用ベルトの間と前記第２の顎締め付けベルトと前記ズレ防止用ベルトの間に設けられた一対の連結ベルトが設けられたことを特徴とする。
本発明によれば、顎固定用ベルトにさらに前記一対のズレ防止用ベルトや一対の連結ベルトを設けることで顎固定用ベルトを後頭部で固定するため、頭部に対して固定力が高まる。
【００１６】
本発明の顎固定用ベルトは、前記第１の顎締め付けベルトと前記第２の顎締め付けベルトはゴム系あるいはポリウレタン弾性糸を芯とするカバーリング糸で生成された伸縮性細幅編み物であるメッシュ生地で形成されていることを特徴とする。
本発明によれば、前記第１の顎締め付けベルトと前記第２の顎締め付けベルトがゴム系あるいはポリウレタン弾性糸を芯とするカバーリング糸で生成された伸縮性細幅編み物であるメッシュ生地で形成されているため、顎固定用ベルトの使用回数が多い場合でも伸びてしまったり切れたりすることがなく、耐久性の高い顎固定用ベルトを提供することが可能となる。
【００１７】
本発明の顎固定用ベルトは、睡眠時無呼吸症候群の治療用に使用するマスクと併用可能な孔が設けられていることを特徴とする。
本発明によれば、前顎固定用ベルトは前記顎固定用ベルトに設けられた一対の顔両端装着部に人工呼吸器装着用の固定具のベルトを挿通するための一対の孔が備えられているため、前記ベルトを前記孔に挿通することで、睡眠時無呼吸症候群の治療用に用いるマスクと併用して快適に使用することができる。
本発明の顎固定用ベルトは、いびき防止用や睡眠時無呼吸症候群等を防止するための医療用ベルトとして、またスポーツや格闘技を行う際のサポーターや小顔効果を得るための美容用ベルトとして種々の分野で使用することが可能である。
【発明の効果】
【００１８】
本発明によれば、顔の両端に装着される顔両端装着部が第１の顎締め付けベルトと第２の締め付けベルトにより二重に形成されているため、顎固定用ベルトが頭部に適切に固定され、さらに顎先を第１の顎締め付けベルトと第２の顎締め付けベルトによって挟み込むように固定するため、寝返り等、頭部や身体が動いてもずれたり外れたりすることなく頭部にしっかりと固定することが可能となり、口が閉じた状態を長時間維持することが可能となる。
また本発明によれば、顎固定用ベルトは主に第１の顎締め付けベルトと第２の顎締め付けベルトによって形成されているため、簡単な構造で製造が容易である。
さらに本発明によれば、前記第１，第２の顎締め付けベルトの中心部の縁部に設けられた第１，第２，第３，第４の布片のストレッチ率が前記第１，第２の顎締め付けベルトよりも小さいため、顎先固定部は前記第１，第２，第３，第４の布片により顔両端固定部よりも伸縮せずに顎先をしっかりと固定するとともに、前記顔両端固定部は伸縮して頭部や身体が動いてもずれたり外れたりすることがなく頭部に固定される。
そして本発明によれば、顎固定用ベルトが多数の孔が形成されたメッシュ生地からなる帯状部材で構成されているため、通気性がよく使用感が良好で、さらにストレッチ率が１２０〜３００％に構成されているため、伸縮性がよく頭部や身体が動いてもずれたり外れたりすることがなく頭部にぴったりと固定される。
また本発明によれば、前記第１，第２の顎締め付けベルトがゴム系あるいはポリウレタン弾性糸を芯とするカバーリング糸で生成されたメッシュ生地で形成されているため、顎固定用ベルトの使用回数が多い場合でも伸びてしまったり切れたりすることがなく、耐久性の高い顎固定用ベルトを提供することが可能となる。
【図面の簡単な説明】
【００１９】
【図１】本発明を適用した第１の実施形態の顎固定用ベルト１０を示す斜視図である。
【図２】上記実施形態の顎固定用ベルト１０を開いた状態の模式図である。
【図３】上記実施形態の顎固定用ベルト１０のＢ−Ｂ断面図である。
【図４】上記実施形態の顎固定用ベルト１０の中心部の外側拡大図である。
【図５】上記実施形態の顎固定用ベルト１０のＣ−Ｃ断面図である。
【図６】上記実施形態の顎固定用ベルト１０のＥ−Ｅ断面図である。
【図７】上記実施形態の顎固定用ベルト１０の中心部の内側拡大図である。
【図８】上記実施形態の顎固定用ベルト１０を装着した状態の斜視図である。
【図９】上記実施形態の顎固定用ベルト１０を装着した状態の正面図である。
【図１０】上記実施形態の顎固定用ベルト１０に使用されている第１，第２の顎締め付けベルトを拡大した拡大図である。
【図１１】上記実施形態の顎固定用ベルト１０を装着した際のＣ−Ｃ断面図である。
【図１２】従来の顎固定用ベルト２００，３００，４００を示す写真である。
【図１３】本発明を適用した第２の実施形態の顎固定用ベルト２０を開いた状態の模式図である。
【図１４】上記実施形態の顎固定用ベルト２０を装着した状態の斜視図である。
【発明を実施するための形態】
【００２０】
本発明を実施するための形態を以下に図を用いて詳細に説明する。
【００２１】
（本発明の第１の実施形態）
図１は、本発明を適用した第１の実施形態の顎固定用ベルト１０を示す斜視図であり、図２は、上記実施形態の顎固定用ベルト１０を開いた状態の模式図である。図３は、上記実施形態の顎固定用ベルト１０のＢ−Ｂ断面図である。
本実施形態の顎固定用ベルト１０は、一対の顔両端装着部２，２と、顎先固定部１と、前記顔両端装着部２，２の端部に設けられた着脱部材７ａ，７ｂと、一対のズレ防止用ベルト５，５と、前記ズレ防止用ベルト５，５の端部に設けられたズレ防止用ベルト着脱部材８ａ，８ｂと、一対の連結ベルト６，６とから構成される。
【００２２】
前記一対の顔両端装着部２，２と前記顎先固定部１は、第１の顎締め付けベルト３と第２の顎締め付けベルト４の端部を熱圧着、縫製、または貼り合わせ等で接合することで形成される。
前記一対の顔両端装着部２，２は、前記第１の顎締め付けベルト３と第２の顎締め付けベルト４の端部を利用して形成し、前記顎先固定部１は、前記第１の顎締め付けベルト３と第２の顎締め付けベルト４の中心部を利用して形成されている。よって、前記一対の顔両端装着部２，２と前記顎先固定部１の接合箇所は連続的に形成されている。このように本実施の形態の顎固定用ベルト１０は主に第１の顎締め付けベルトと第２の顎締め付けベルトによって形成されているため、簡単な構造で製造が容易である。
前記一対の顔両端装着部２，２は、顔の両端に接触する部位であり、前記第１の顎締め付けベルト３と前記第２の顎締め付けベルト４の端部をそれぞれずれがないように両縁部Ｄ１，Ｄ２同士を重ね合わせて接合することで二重に形成（図３）されている。また、前記第１の顎締め付けベルト３と前記第２の顎締め付けベルト４の一端部（前記顔両端装着部２，２の一端部）にはそれぞれ着脱部材７ａ，７ｂが取り付けられている。また前記顔両端装着部２，２の他端部はそれぞれ前記顎先固定部１の端部と一体的に形成されている。
前記第１の顎締め付けベルト３と前記第２の顎締め付けベルト４との接合箇所は、前記第１の顎締め付けベルト３と前記第２の顎締め付けベルト４の一縁部Ｄ１同士、他縁部Ｄ２同士（図３）を接合してもよいし、両縁部は接合せずに、前記一対の顔両端装着部２，２と着脱部材７ａ，７ｂとの接合箇所において前記第１の顎締め付けベルト３と前記第２の顎締め付けベルト４を接合してもよい。
【００２３】
前記着脱部材７ａ，７ｂは、頭部に前記顎固定用ベルト１０を着脱自在に装着するための部材であり、前記顔両端装着部２，２の端部にそれぞれ設けられ、前記着脱部材７ａ，７ｂを重ね合わせて接着させると前記第１の顎締め付けベルト３と前記第２の顎締め付けベルト４は環状となって頭部に固定され、前記着脱部材７ａ，７ｂを取り外すと前記第１の顎締め付けベルト３と前記第２の顎締め付けベルト４は長尺状となり、頭部から取り外すことが可能となる。前記着脱部材７ａ，７ｂは、例えば雄部材７ａと雌部材７ｂとが互いの対向面で着脱可能になった面ファスナーや、バックル、フック等、前記顎固定用ベルト１０を環状にした場合の周長が調整可能な部材であれば適宜選択可能である。
【００２４】
図４は、上記実施形態の顎固定用ベルト１０の中心部の外側拡大図であり、図５は、上記実施形態の顎固定用ベルト１０のＣ−Ｃ断面図である。図６は、上記実施形態の顎固定用ベルト１０のＥ−Ｅ断面図であり、図７は、上記実施形態の顎固定用ベルト１０の中心部の内側拡大図である。
前記顎先固定部１は、顎先を挟み込んで固定するための部位であり、前記顎先固定部１の中心箇所Ｃ−Ｃ（図４）において、前記第１の顎締め付けベルト３の中心部の一縁部Ｄ１と前記第２の顎締め付けベルト４の中心部の他縁部Ｄ２が積層されて接合され、前記顎先固定部１の中心箇所から最端部に向けて徐々に前記第１の顎締め付けベルト３と前記第２の顎締め付けベルト４との積層領域を大きくするように接合する（図４，図６）。顎先固定部１の最端部は前記第１の顎締め付けベルト３と前記第２の顎締め付けベルト４をほぼずれがないように両縁部Ｄ１，Ｄ２同士を重ね合わせて接合する。このように前記第１の顎締め付けベルト３と前記第２の顎締め付けベルト４を接合することで、前記顎先固定部１は、顎先が収まるような立体的な形状となる。
【００２５】
前記第１の顎締め付けベルト３の中心部の両縁部Ｄ１，Ｄ２には、二つ折りにして前記両縁部Ｄ１，Ｄ２の外側からそれぞれ挟み込んで熱圧着、縫製、または貼り合わせ等で接合された第１の布片３１，第３の布片３２が設けられ、前記第２の顎締め付けベルトの中心部の両縁部Ｄ１，Ｄ２にも同様に二つ折りにして前記両縁部Ｄ１，Ｄ２の外側から挟み込んで熱圧着、縫製、または貼り合わせ等で接合された第４の布片４１，第２の布片４２が設けられている。
前記第１の布片３１，前記第３の布片３２，前記第４の布片４１，前記第２の布片４２は、前記顎先固定部１が伸びすぎずに前記顎先固定部１の形状を適度に保つために設けられるものであり、ポリエステルやナイロン等の糸を織機や編組機械等で帯状に形成され、前記第１の顎締め付けベルト３と前記第２の顎締め付けベルト４のストレッチ率よりも小さい素材で形成されている。
前記第１の布片３１，前記第３の布片３２，前記第４の布片４１，前記第２の布片４２は、二つ折りにして両縁部Ｄ１，Ｄ２の外側から挟み込まなくてもよく、前記第１，第２の顎締め付けベルト３，４の両縁部Ｄ１，Ｄ２において、紙面上（図５，図６）上下に布片をそれぞれ設けて前記両端部Ｄ１，Ｄ２に接合してもよいし、紙面上（図５，図６）、上下のどちらかのみ布片を設けて前記両端部Ｄ１，Ｄ２に接合してもよい。
前記第１の布片３１と前記第２の布片４２のみ前記第１，第２の顎締め付けベルト３，４の中心部の両縁部Ｄ１，Ｄ２に設けられていてもよいし、前記第３の布片３２，前記第４の布片４１のみ設けられていてもよい。前記第１の布片３１，前記第３の布片３２，前記第４の布片４１，前記第２の布片４２を設けることにより、前記顎先固定部１が伸びすぎず前記顎先固定部１の形状を適度に保ち、顎先をしっかりと固定することが可能となる。
【００２６】
一対のズレ防止用ベルト５，５は、前記顎固定用ベルト１０を後頭部で適切に固定するためのもので、一対のズレ防止用ベルト５，５の一端は前記第１の顎締め付けベルトの中心部と前記第２の顎締め付けベルトの中心部が接合された箇所（図４，図７）に離反して取り付けられ、他端にはそれぞれズレ防止用ベルト着脱部材８ａ，８ｂが取り付けられている。
前記ズレ防止用ベルト着脱部材８ａ，８ｂは、後頭部に前記一対のズレ防止用ベルト５，５を着脱自在に装着するための部材であり、前記ズレ防止用ベルト着脱部材８ａ，８ｂを重ね合わせて接着させると前記一対のズレ防止用ベルト５，５が後頭部に固定され、前記ズレ防止用ベルト着脱部材８ａ，８ｂを取り外すと前記一対のズレ防止用ベルト５，５を後頭部から取り外すことが可能となる。前記ズレ防止用ベルト着脱部材８ａ，８ｂは、例えば雄部材８ａと雌部材８ｂとが互いの対向面で着脱可能になった面ファスナーや、バックル、フック等、適宜選択可能である。
【００２７】
前記一対の連結ベルト６，６は、前記顎固定用ベルト１０を頭部に装着した際に前記一対の顔両端装着部２，２と前記一対のズレ防止用ベルト５，５が頭部上でずれないように、前記一対の顔両端装着部２，２と前記一対のズレ防止用ベルト５，５を連結するためのもので、前記一対の連結ベルト６，６の一端はそれぞれ前記一対のズレ防止用ベルト５，５と前記ズレ防止用ベルト着脱部材８ａ，８ｂの接合箇所に取り付けられ、他端は前記着脱部材７ａ，７ｂか、あるいは前記一対の顔両端装着部２，２の端部にそれぞれ取り付けられる（図２）。
【００２８】
図１０は、上記実施形態の顎固定用ベルト１０に使用されている第１，第２の顎締め付けベルトを拡大した拡大図である。
前記第１の顎締め付けベルト３と前記第２の顎締め付けベルト４は長尺の帯状で、同サイズ、同素材で形成されている。また前記第１の顎締め付けベルト３と前記第２の顎締め付けベルト４には多数の孔１１ａが形成されたメッシュ生地で形成されており、前記多数の孔１１ａによりストレッチ率が大きくなる。
前記第１の顎締め付けベルト３と前記第２の顎締め付けベルト４は、ゴム系あるいはポリウレタン弾性糸を芯とするカバーリング糸で生成された伸縮性細幅編み物であるメッシュ生地で形成されている。カバーリング糸とは、ゴム系あるいはポリウレタン弾性糸を芯として、その糸を中心にポリエステルやナイロンの糸を巻きつけて保護している糸のことを指し、前記カバーリング糸を編組機械により多数の孔１１ａが形成されたメッシュ状に編み、メッシュ生地とする。
カバーリング糸は、ストレッチ率の高いゴム系あるいはポリウレタン弾性糸を芯として使用しているため伸縮性に優れ、ゴム系あるいはポリウレタン弾性糸の上からポリエステル等の糸で保護しているため耐久性が高い。カバーリング糸で形成されたメッシュ生地も同様に、伸縮性、耐久性に優れた生地となる。
前記カバーリング糸で形成されたメッシュ生地のストレッチ率は１２０％〜３００％であることが好ましい。
また伸縮性細幅編み物とは、伸縮性の高い素材を製造段階で必要な細幅に編むことで生成された編み物であり、広幅編み物をカットして使用する場合と比べて端部がほつれにくいという効果をもつ。
前記多数の孔１１ａの形状は、本実施の形態ではひし形であるが、長方形状、楕円形状、星形形状、正方形状、三角形状、多角形状、円状等、種々選択可能であり、前記多数の孔１１ａは長手方向に間隔を空けて設けられる。
前記ズレ防止用ベルト５，５と前記一対の連結ベルト６，６も前記第１，第２の顎締め付けベルト３，４と同様の素材で形成される。
このように前記顎固定用ベルト１０は多数の孔１１ａが設けられた伸縮性のある生地を利用しているため、通気性があり夏でも快適に装着でき、寝返り等、頭部や身体が動いても頭部にしっかりと固定される。また、前記多数の孔１１ａを長手方向に間隔を空けて設けることで、長手方向のストレッチ率がより大きくなり、前記顎固定用ベルト１０はより伸縮して頭部に適切にフィットすることが可能となる。さらに前記顎固定用ベルト１０がゴム系あるいはポリウレタン弾性糸を芯とするカバーリング糸で形成されているため、前記顎固定用ベルト１０の使用回数が多い場合でも伸びてしまったり切れたりすることがなく、耐久性の高い顎固定用ベルトを提供することが可能となる。
【００２９】
次に、本実施の形態の顎固定用ベルトの装着方法を説明する。
図８は、上記実施形態の顎固定用ベルト１０を装着した状態の斜視図であり、図９は、上記実施形態の顎固定用ベルト１０を装着した状態の正面図である。図１１は、上記実施形態の顎固定用ベルト１０を装着した際のＣ−Ｃ断面図である。
（ステップ１）最初に図２のように顎固定用ベルト１０を装着者１００の顔の前に拡げて、顎先固定部１を装着者１００の顎に軽く当てる。ここで、顎先固定部１は立体的な形状となっており、顎先の正面側が顎先固定部１の第１の顎締め付けベルト３と接触し、顎先の裏面側が顎先固定部１の第２の顎締め付けベルト４と接触するように押し当てる。
（ステップ２）次に顔両端装着部２，２を顔の両端に接触させて、装着者１００の頭頂部で着脱部材７ａ，７ｂを接着させる。この時、顔両端装着部２，２を上方へ引張りながら着脱部材７ａ，７ｂを接着させると、顎先固定部１の第１の顎締め付けベルト３と第２の顎締め付けベルト４の両端が上方に引張られ、第１の顎締め付けベルト３と第２の顎締め付けベルト４の接合していない縁部同士（第１の顎締め付けベルト３の他縁部Ｄ２と第２の顎締め付けベルト４の一縁部Ｄ１）が近づく方向に力が働き（図１１）、顎先をしっかりと挟み込み、充分に固定することが可能となる。また第１の布片３１，第３の布片３２，第４の布片４１，第２の布片４２が顎先固定部１の縁部に設けられている場合は、前記顎先固定部１が伸びすぎず顎先固定部１の形状を適度に保ち、顎先をしっかりと固定することが可能で、顔両端装着部２，２は伸縮し、顔の両端に適切に固定することが可能となる。
（ステップ３）その後、ズレ防止用ベルト５，５を装着者１００の耳の後ろ側に接触させて、ズレ防止用ベルト着脱部材８ａ，８ｂを後頭部で接着させる。
（ステップ４）そして、着脱部材７ａ，７ｂとズレ防止用ベルト着脱部材８ａ，８ｂの接着位置や、連結ベルト６，６の位置を適宜調節して、装着者１００の頭部への固定具合を調整する。
【００３０】
このように、本発明の顎固定用ベルトを使用すると、前記顎先固定部１が伸びすぎず顎先固定部１の形状を適度に保ち、顎先をしっかりと固定することが可能で、さらに顔両端装着部２，２はよく伸縮するため、寝返り等、頭部や身体が動いてもずれたり外れたりすることなく頭部にしっかりと固定し、口が閉じた状態を長時間維持することが可能となる。
【００３１】
（本発明の第２の実施形態）
図１３は、本発明を適用した第２の実施形態の顎固定用ベルト２０を開いた状態の模式図であり、図１４は、上記実施形態の顎固定用ベルト２０を装着した状態の斜視図である。
本発明の第２の実施形態である顎固定用ベルト２０は、前記顎固定用ベルト２０と睡眠時無呼吸症候群の治療に使用するマスク５００とを併用可能にするための一対の孔２３，２４を設けたものであり、その他の構成は第１の実施形態の顎固定用ベルト１０と同様であるため、重複する部材・構成は同一の符号を付して、重複する説明を省略する。
【００３２】
顎固定用ベルト２０は、前記顎固定用ベルト２０に設けられた一対の顔両端装着部２２，２２に人工呼吸器装着用の固定具５０１のベルト５０１ａ，５０１ｂを挿通するための一対の孔２３，２４を備えたものである。
前記一対の顔両端装着部２２，２２は、顔の両端に接触する部位であり、前記第１の顎締め付けベルト３と前記第２の顎締め付けベルト４を重ね合わせて二重に形成されている。前記顔両端装着部２２には、前記顎先固定部１側と前記着脱部材７ａ，７ｂ側にそれぞれ孔２３，２４が設けられている。
前記一対の孔２３，２４は、人工呼吸器装着用の固定具５０１のベルト５０１ａ，５０１ｂを挿通するためのものであり、前記第１の顎締め付けベルト３と前記第２の顎締め付けベルト４で挟まれ、前記顔両端装着部２２の長手方向略垂直にベルト５０１ａ，５０１ｂが充分に挿入可能な幅で挿通している。
前記一対の孔２３，２４の位置は、前記ベルト５０１ａ，５０１ｂの位置によって適宜変更可能である。
前記一対の孔２３，２４の形成方法であるが、前記第１の顎締め付けベルト３と前記第２の顎締め付けベルト４の両端部Ｄ１，Ｄ２が接合されていない場合は、前記第１の顎締め付けベルト３と前記第２の顎締め付けベルト４を縫製箇所２３ａ，２３ｂ，２４ａ，２４ｂの４箇所で縫製することで、縫製箇所２３ａ，２３ｂの間に孔２３を、縫製箇所２４ａ，２４ｂの間に孔２４を形成する。前記第１の顎締め付けベルト３と前記第２の顎締め付けベルト４の両端部Ｄ１，Ｄ２が接合されている場合は、両端部Ｄ１，Ｄ２に２箇所接合されていない部分を形成し、接合されていない箇所を孔２３，２４とする。
【００３３】
装着方法であるが、装着者１００にマスク５００を装着する前に人工呼吸器装着用の固定具５０１のベルト５０１ａ，５０１ｂを前記顎固定用ベルト２０の一対の孔２３，２４にそれぞれ挿通し、前記人工呼吸器装着用の固定具５０１を前記顎固定用ベルト２０に取り付ける。その後、マスク５００を人工呼吸器装着用の固定具５０１により装着者１００に装着するとともに、前記顎固定用ベルト２０を前記装着者１００に装着する。
【００３４】
このように、前記顎固定用ベルト２０と睡眠時無呼吸症候群の治療に使用するマスク５００とを併用を行うことで、前記顎固定用ベルト２０によって顎先を頭部にしっかりと固定し、口が閉じた状態を維持することが可能となるため、マスク５００を使用した際に発生する問題（口の中が乾く、酸素が口からリークする等）が解消され、より快適に睡眠時無呼吸症候群の治療を行うことが可能となる。
【００３５】
（実験例１）
図１２は、従来の顎固定用ベルトを示す写真である。
本実施の形態の顎固定用ベルトと比較例（従来例）である市販品の顎固定用ベルト２００，３００，４００（図１２）を使用して、ストレッチ率、耐久性等の比較実験を行った。顎固定用ベルトは、Ｓ（頭囲：５５ｃｍ以下）、Ｍ（頭囲：５６ｃｍ〜５９ｃｍ）、Ｌ（頭囲：６０ｃｍ以上）の３サイズを用意した。
本実施の形態の顎固定用ベルトは、顎先固定部の中心箇所から最端部に向けて徐々に第１の顎締め付けベルトと第２の顎締め付けベルトとの積層領域を大きくするように縫製（図４，図６）し、顎先固定部の最端部は第１の顎締め付けベルトと第２の顎締め付けベルトをほぼずれがないように両縁部Ｄ１，Ｄ２同士を重ね合わせて縫製する立体２重縫製で形成した。
ストレッチ率の計測方法は、ＪＩＳ  Ｌ１０９６に記載されている０．５ｋｇ荷重時の定荷重時伸び率を計測した。
耐久性の計測方法は、従来の顎固定用ベルトと本実施の形態の顎固定用ベルトの生地部分を１５ｃｍ採取し、それぞれデマッチャ式伸縮疲労試験機を用いて掴み間隔１０ｃｍから５ｃｍで表側が外方向に屈曲するように振幅の幅を調整し、屈曲操作を１分間に６０回の速さで７５００回繰返し、使用上支障のある破損等の異常が発生した場合は、不合格、異常が認められない場合は合格とした。
通気性、臭気の計測方法は、装着した際の装着者の感想をヒアリングした。
計測を行った結果を以下の（表１）に示す。
【００３６】
【表１】
2017094040.tif 000004
【００３７】
上記（表１）から、市販品の顎固定用ベルトに比べて本実施の形態の顎固定用ベルトは、ストレッチ率が１８０％と高く、通気性、耐久性が高いことがわかった。臭気も少ないため、快適に顎固定用ベルトを使用することができる。
【００３８】
（実験例２）
本実施の形態の顎固定用ベルトと比較例（従来例）である市販品の顎固定用ベルト２００，３００，４００（図１２）を使用して、被験者に実際に所定期間装着してもらい、装着感等の聞き取り調査を行った。
聞き取り調査の結果を以下に示す。
（被験者１）
性別：男
年齢：７７歳
使用期間：２０１６年１月１０日〜１月３０日
装着日数：２１日間
感想：眠ると口が開き、口呼吸になって口が渇くので口開き防止で使用している。従来例の顎固定用ベルトにおいては、素材がスポンジゴム製品であるため夏は汗をかき、寝返りで外れやすい等の問題があるが、本実施の形態の顎固定用ベルトはとても使いやすい。本実施の形態の顎固定用ベルトを購入したいと思う。
（被験者２）
性別：男
年齢：２６歳
使用期間：２０１６年１月２１日〜２月２１日
装着日数：２７日間程度
感想：本実施の形態の顎固定用ベルトは、従来例の顎固定用ベルトと比較すると、やはりメッシュは蒸れずに快適。他社製品（従来例の顎固定用ベルト）はこの季節でも長時間装着しているとどうしても蒸れてしまい、不快に思う。口呼吸への効果も予想以上にあり、勉強中にも装着しているが、口呼吸を防止しているからか集中でき、勉強もはかどる。顔の輪郭がシャープになった。家族にも顔の輪郭がシャープになったと言われる。
【００３９】
以上、本実施の形態の顎固定用ベルトは、いびき防止用や睡眠時無呼吸症候群等を防止するため、また内視鏡による胃カメラ検査や長時間にわたる胃や食道の内視鏡手術に使用する顎固定用の医療ベルトとして、さらにスポーツや格闘技を行う際のサポーターや小顔効果を得るための美容用ベルトとして種々の分野で使用することが可能であり、快適に使用することができる。
【符号の説明】
【００４０】
１０，２０          顎固定用ベルト、
１                  顎先固定部、
２                  顔両端装着部、
３                  第１の顎締め付けベルト、
４                  第２の顎締め付けベルト、
５                  ズレ防止用ベルト、
６                  連結ベルト、
７ａ，７ｂ          着脱部材、
８ａ，８ｂ          ズレ防止用ベルト着脱部材、
２３，２４          孔，
３１                第１の布片，
３２                第３の布片，
４１                第４の布片，
４２                第２の布片，
１００              装着者
【図１】
2017094040.tif 000005
【図２】
2017094040.tif 000006
【図３】
2017094040.tif 000007
【図４】
2017094040.tif 000008
【図５】
2017094040.tif 000009
【図６】
2017094040.tif 000010
【図７】
2017094040.tif 000011
【図８】
2017094040.tif 000012
【図９】
2017094040.tif 000013
【図１０】
2017094040.tif 000014
【図１１】
2017094040.tif 000015
【図１２】
2017094040.tif 000016
【図１３】
2017094040.tif 000017
【図１４】
2017094040.tif 000018
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
頭頂部と顎との間に掛け渡して装着される顎固定用ベルトにおいて、顎先の正面側から顎を締め付ける第１の顎締め付けベルトと、顎先の裏面側から顎を締め付ける第２の顎締め付けベルトを備え、前記第１の顎締め付けベルトの中心部の一縁部と前記第２の顎締め付けベルトの中心部の他縁部が接合された顎先固定部とされるとともに、前記第１の顎締め付けベルトの中心部と前記第２の顎締め付けベルトの中心部が接合された箇所に取り付けられた一対のズレ防止用ベルトからなることを特徴とする顎固定用ベルト。
【請求項２】
前記顎固定用ベルトは、さらに前記第１の顎締め付けベルトの端部と前記第２の顎締め付けベルトの端部が重ね合わされて二重に形成された顔の両端に装着される顔両端装着部を備え、前記ズレ防止用ベルトは耳の後ろ側に装着されることを特徴とする請求項１記載の顎固定用ベルト。
【請求項３】
前記第１の顎締め付けベルトの中心部の前記一縁部には第１の布片が設けられ、前記第２の顎締め付けベルトの中心部の他縁部には第２の布片が設けられ、前記顎先固定部は、前記第１の布片と前記第２の布片が接合されて形成されたことを特徴とする請求項１または２記載の顎固定用ベルト。
【請求項４】
顎先の正面側が前記第１の顎締め付けベルトの中心部と接触し、前記顎先の裏面側が前記第２の顎締め付けベルトの中心部と接触して、前記第１の顎締め付けベルトと前記第２の顎締め付けベルトによって挟み込むように顎先が固定されることを特徴とする請求項１から３のいずれか一項記載の顎固定用ベルト。
【請求項５】
前記第１の顎締め付けベルトの中心部の他縁部には第３の布片が設けられ、前記第２の顎締め付けベルトの中心部の一縁部には第４の布片が設けられていることを特徴とする請求項３または４記載の顎固定用ベルト。
【請求項６】
前記第１の布片と前記第２の布片のストレッチ率は、前記第１の顎締め付けベルトと前記第２の顎締め付けベルトのストレッチ率よりも小さい素材で形成されていることを特徴とする請求項３記載の顎固定用ベルト。
【請求項７】
前記第３の布片と前記第４の布片のストレッチ率は、前記第１の顎締め付けベルトと前記第２の顎締め付けベルトのストレッチ率よりも小さい素材で形成されていることを特徴とする請求項５記載の顎固定用ベルト。
【請求項８】
前記第１の顎締め付けベルトと前記第２の顎締め付けベルトは多数の孔が形成されたメッシュ生地からなる帯状部材で構成され、前記メッシュ生地はストレッチ率が１２０〜３００％であることを特徴とする請求項１から７のいずれか一項記載の顎固定用ベルト。
【請求項９】
前記顎固定用ベルトには、さらに前記顔両端装着部と前記ズレ防止用ベルトとの間に設けられた一対の連結ベルトが設けられたことを特徴とする請求項１から８のいずれか一項記載の顎固定用ベルト。
【請求項１０】
前記第１の顎締め付けベルトと前記第２の顎締め付けベルトはゴム系あるいはポリウレタン弾性糸を芯とするカバーリング糸で生成された伸縮性細幅編み物であるメッシュ生地で形成されていることを特徴とする請求項１から９のいずれか一項記載の顎固定用ベルト。
【請求項１１】
前記顎固定用ベルトは、睡眠時無呼吸症候群の治療用に使用するマスクを取り付けるための孔が設けられていることを特徴とする請求項１から１０のいずれか一項記載の顎固定用ベルト。